(57)【要約】【課題】表示ユニットを装置本体に対して着脱自在、かつ、装着位置を選択可能とし、使い勝手を向上させた携帯電子装置を提供すること。【解決手段】折り畳み型の携帯電子装置１０１の上部本体１２は、折り畳んだ状態で下部本体１３と対向する側に内側格納部１５を、露出面となる側に外側格納部１６を備え、それぞれに表示ユニット１１との電気的接続をとるコネクタ部１７を有している。携帯時には、表示ユニット１１を外側格納部６に装着することにより、折畳んだ状態のままで表示を確認できる。また、表示ユニット１１を内側格納部５に装着すれば、開いた状態でキー操作を行いながら表示を確認することが可能となる。【選択図】　図１
2004056198.tif 000002
【特許請求の範囲】
【請求項１】
装置本体と、前記装置本体に対して着脱可能な表示部とを備えた携帯電子装置であって、
前記装置本体の一面とこれと反対側の他面とに、前記表示部を保持する表示部保持手段をそれぞれ備えるとともに、前記表示部保持手段により前記装置本体のいずれかの面に保持された表示部と前記装置本体との電気的接続を行う電気的接続手段を備えたことを特徴とする携帯電子装置。
【請求項２】
前記電気的接続手段は、前記表示部と前記装置本体とを端子部を介して接触導通するコネクタ部により構成されることを特徴とする請求項１に記載の携帯電子装置。
【請求項３】
前記電気的接続手段は、前記表示部と前記装置本体との間で無線通信により電気的信号を送受信する無線通信手段により構成されることを特徴とする請求項１に記載の携帯電子装置。
【請求項４】
前記装置本体は撮像手段を備え、
前記表示部は、前記撮像手段により得られた画像を表示可能に構成されることを特徴とする請求項１に記載の携帯電子装置。
【請求項５】
前記表示部は操作入力を行うための操作入力手段を備えたことを特徴とする請求項１に記載の携帯電子装置。
【請求項６】
前記表示部は充電可能な電池を含む電源手段を備えたことを特徴とする請求項１に記載の携帯電子装置。
【請求項７】
前記電源手段は、前記表示部を前記装置本体に装着した状態で前記装置本体より電源供給を受けて前記電池の充電を行うことを特徴とする請求項６に記載の携帯電子装置。
【請求項８】
前記電源手段は、前記表示部を外部充電装置に接続した状態で前記充電装置より電源供給を受けて前記電池の充電を行うことを特徴とする請求項６又は７に記載の携帯電子装置。
【請求項９】
前記表示部として複数の表示ユニットを備え、これらの表示ユニットのいずれかを選択的に前記装置本体に装着可能に構成されることを特徴とする請求項１に記載の携帯電子装置。
【発明の詳細な説明】
【０００１】
【発明の属する技術分野】
本発明は、携帯電話機、携帯情報端末（ＰＤＡ）などの携帯電子装置に関し、特に、表示部を着脱自在に備えた携帯電子装置に関する。
【０００２】
【従来の技術】
携帯電話機に代表される携帯電子装置では、小形化や多機能化、さらに操作性の向上が求められている。近年の携帯電話機では、視認性を高めるためにより大きな表示部が求められる一方で、小形化して携帯性を向上させるために、筐体本体を２つに分割してヒンジ部で連結した折り畳み型のものが広く普及している。また、携帯電話機を多機能化した例としては、装置本体にカメラ部を内蔵したものが製品化されており、このようなカメラ付きの携帯電子装置は、表示部を被写体画像を見るためのビューファインダとして用いる構造となっている。
【０００３】
【発明が解決しようとする課題】
上記のような折り畳み型の携帯電子装置では、装置本体を折り畳んで閉じたときに表示部が内側に隠れて外部からは見えない状態となり、ポケットなどから取り出す際には装置本体を開かないと表示部を見ることができない。また、装置本体を折り畳んだ状態のまま机などの上に置いた場合は、表示部に表示されている内容を確認することができなかった。この不具合を解決するために、補助的な第２表示部を筐体外面に設けたものが種々開発されているが、小さな第２表示部では限定的な情報しか得ることができない。
【０００４】
また、特開２００１−４５１１９号公報には、一体型の携帯電話機本体に対して表示部を着脱自在かつ一体的に固定可能な構成とし、表示部を装置本体と離脱した状態でも表示部に情報を表示して視認可能としたものが開示されている。しかし、このような構成では、表示部が携帯電話機本体に対して着脱自在であっても、表示部を固定する装置本体上の位置は所定の１個所に限られており、選択ができなかった。よって、この従来例の構成を折り畳み型の携帯電子装置に適用しても、装置本体を開いた状態か折り畳んだ状態のいずれかのみでしか表示部を見ることができず、常に良好な視認性を保持することは困難であった。また、上記公報の構成では、表示部を携帯電話機本体から離脱した際の電気的接続に通信ケーブルを使用しているので、ケーブルの収納などの取扱いが煩雑になる不具合もあった。
【０００５】
一方、装置本体にカメラ部を内蔵した携帯電子装置では、表示部をビューファインダとして用いる際に、表示部の向きが自分自身を被写体として撮影する場合と他の被写体を撮影する場合のいずれかのみにしか対応できないという不便さがある。
【０００６】
本発明は、上記事情に鑑みてなされたもので、その目的は、装置の用途や使用者の好み、使用条件などによって、装置本体への表示部の装着位置や向きを選択可能であり、使い勝手を向上させることが可能な携帯電子装置を提供することにある。
【０００７】
【課題を解決するための手段】
本発明は、装置本体と、前記装置本体に対して着脱可能な表示部とを備えた携帯電子装置であって、前記装置本体の一面とこれと反対側の他面とに、前記表示部を保持する表示部保持手段をそれぞれ備えるとともに、前記表示部保持手段により前記装置本体のいずれかの面に保持された表示部と前記装置本体との電気的接続を行う電気的接続手段を備えたことを特徴とする。
【０００８】
上記構成によれば、携帯電子装置の用途や使用者の好みなどに応じて、表示部を装置本体の表示部保持手段により着脱可能に装着して使用可能であり、また、表示部を装置本体のいずれの面に装着するか装着位置を選択できるので、使用時の視認性や操作性を向上させるなど、使い勝手の向上を図れる。
【０００９】
また、前記電気的接続手段は、前記表示部と前記装置本体とを端子部を介して接触導通するコネクタ部により構成されることを特徴とする。
【００１０】
上記構成により、コネクタ部によって表示部を装置本体に電気的接続することで、装置本体においていずれの装着位置に表示部を装着しても情報の表示が可能であり、使用者は所望の使用状態で表示情報を視認可能となる。
【００１１】
また、前記電気的接続手段は、前記表示部と前記装置本体との間で無線通信により電気的信号を送受信する無線通信手段により構成されることを特徴とする。
【００１２】
上記構成により、無線通信手段による無線通信によって表示情報の信号をやり取りすることで、装置本体においていずれの装着位置に表示部を装着しても情報の表示が可能であり、使用者は所望の使用状態で表示情報を視認可能となる。またこの場合、表示部を離脱した際のケーブルによる移動の制約やケーブル収納等の取扱いの煩わしさがなくなり、操作性が向上する。
【００１３】
また、前記装置本体は撮像手段を備え、前記表示部は、前記撮像手段により得られた画像を表示可能に構成されることを特徴とする。
【００１４】
上記構成によれば、撮像手段で撮影する際に、使用者自身を撮影する場合と、他の被写体を撮影する場合のそれぞれの使用形態に応じて被写体画像を表示する表示部の向きを選ぶことができ、視認性が良好な位置に表示部を設けることができるため、使い勝手が向上する。
【００１５】
また、前記表示部は操作入力を行うための操作入力手段を備えたことを特徴とする。操作入力手段としては、ボタン押下操作などで入力を行う操作キーや接触操作で入力を行うタッチパネルなどが用いられる。
【００１６】
上記構成によれば、表示部を装置本体から離脱、又は装着した状態において、表示部の表示確認及び操作入力を行うことが可能であり、操作性が向上する。
【００１７】
また、前記表示部は充電可能な電池を含む電源手段を備えたことを特徴とする。
【００１８】
上記構成により、独立した電源手段により表示部を動作させることが可能となる。
【００１９】
また、前記電源手段は、前記表示部を前記装置本体に装着した状態で前記装置本体より電源供給を受けて前記電池の充電を行うことを特徴とする。
【００２０】
上記構成により、表示部は装置本体を介して充電が可能であり、装置本体に内蔵された電池の充電と同時に表示部の電池も充電がなされるため、充電操作が簡便であり、使い勝手が向上する。
【００２１】
また、前記電源手段は、前記表示部を外部充電装置に接続した状態で前記充電装置より電源供給を受けて前記電池の充電を行うことを特徴とする。
【００２２】
上記構成により、表示部は充電アダプタなどの外部充電装置を用いて容易に充電が可能であるため、使い勝手が向上する。また、表示部を装置本体と外部充電装置のいずれによっても充電可能とすることで、内蔵充電電池の取扱いが簡便になる。
【００２３】
また、前記表示部として複数の表示ユニットを備え、これらの表示ユニットのいずれかを選択的に前記装置本体に装着可能に構成されることを特徴とする。
【００２４】
上記の構成によれば、複数の表示部から装置の用途や使用者の好みなどによって選択して装着することが可能であるため、使い勝手の向上を図ったり、ファッション性を楽しむなど、使用目的に応じた表示ユニットを選択的に使用可能となる。
【００２５】
【発明の実施の形態】
以下、図面を参照して本発明の実施形態を説明する。
本実施形態では、携帯電子装置の一例として、折り畳み型の携帯電話機の構成例を示す。なお、各図において同様の構成要素には同一符号を付してある。
【００２６】
（第１実施形態）
図１は、本発明の第１実施形態に係る折り畳み型携帯電子装置の構成を示す斜視図である。携帯電子装置１０１は、情報を表示する液晶パネルを備えた表示部である表示ユニット１１と、表示ユニット１１を着脱可能に保持し、電気的に接続する上部本体１２と、表面に各種の操作キー１９を配設すると共に、制御回路や電源回路等を内蔵した下部本体１３と、上部本体１２と下部本体１３を折り畳み可能に結合するヒンジ部１４と、を有して構成される。
【００２７】
上部本体１２は、図１（ａ）に示す折り畳み状態で下部本体１３と対向する側に表示ユニット１１を格納可能な内側格納部１５を有し、露出面側に外側格納部１６を備えている。また、これら内側格納部１５及び外側格納部１６のそれぞれに、表示ユニット１１との電気的接続をとるコネクタ部１７を備えている。これにより、表示ユニット１１は上部本体１２の表裏いずれの面にも装着可能となる。
【００２８】
次に、表示ユニット１１を上部本体１２の各面に装着した場合について、それぞれの機能を説明する。
【００２９】
図１（ｂ）に示すように、上部本体１２と下部本体１３が開いた状態の場合は、表示ユニット１１を上部本体１２の内側格納部１５に装着する。これにより、使用者は表示ユニット１１を見ながら下部本体１３の操作キー１９を操作することができる。
【００３０】
一方、図１（ａ）に示すように上部本体１２と下部本体１３を折り畳んだ状態の場合は、表示ユニット１１を外側格納部１６に装着する。これにより、使用者は上部本体１２と下部本体１３を開かなくても表示ユニット１１に表示された情報を確認することができる。例えば、携帯電子装置１０１が携帯電話機である場合、ニュース等の情報サービスにおいて自動的に受信した内容を表示ユニット１１に表示させるようにしておけば、携帯電話機を折り畳んで机上等に置いたままで情報を見ることが可能となる。
【００３１】
このように、第１実施形態では、表示ユニット１１を上部本体１２の外側と内側のいずれの面にも装着可能であるので、携帯電子装置１０１の使用目的によって表示ユニット１１を装着する位置を選択でき、使用者は表示された情報を容易に確認することができる。
【００３２】
なお、第１実施形態では、折り畳み型の携帯電子装置１０１の構成例について示したが、一体型の筐体構成、例えば棒状の構成、又はカード状構成の携帯電子装置においても本発明を同様に適用可能である。
【００３３】
（第２実施形態）
図２は、本発明の第２実施形態に係る折り畳み型携帯電子装置の構成を示す斜視図である。携帯電子装置２０１は、情報を表示する液晶パネルを備えた表示ユニット２１と、表示ユニット２１を着脱可能に保持し、電気的に接続する上部本体２２と、表面に各種の操作キー１９を配設すると共に、制御回路や電源回路等を内蔵した下部本体２３と、上部本体２２と下部本体２３を折り畳み可能に結合するヒンジ部１４と、を有して構成される。
【００３４】
上部本体２２は、図２（ａ）に示す折り畳み状態で下部本体２３と対向する面に、表示ユニット２１を格納可能な内側格納部２５を有し、露出面となる側に外側格納部２６を備えている。また、内側格納部２５と外側格納部２６のそれぞれに、表示ユニット２１との電気的接続をとる無線通信手段である無線接続手段２７を備えている。無線接続手段２７としては、例えばブルートゥース（Ｂｌｕｅｔｏｏｔｈ　）等による無線通信手段を使用する。
【００３５】
これにより、表示ユニット２１は、上部本体２２の表裏いずれの面にも装着可能であり、第１実施形態と同様に、上部本体２２と下部本体２３が開いた状態で表示ユニット２１を見ながら下部本体２３の操作キー１９を操作することができる。さらに、上部本体２２と下部本体２３を閉じた状態のままで、表示ユニット２１に表示された情報を確認することができる。
【００３６】
また、表示ユニット２１を上部本体２２から離脱し、携帯電子装置２０１の本体とは別の場所で使用することができる。例えば、携帯電子装置２０１本体を鞄の中に入れたままで表示ユニット２１を机上で使用したり、或いは、自動車の車中で携帯電子装置２０１本体をグローブボックスに入れ、表示ユニット２１をダッシュボードの上や計器盤の前に置けば、運転席から表示された情報を容易に確認することができる。
【００３７】
このように、第２実施形態では、表示ユニット２１を上部本体２２の内外いずれかの面に選択して装着可能であるとともに、離脱しても使用できるので、接続ケーブルのわずらわしさもなく、使用者の用途により多様な使用形態をとることができる。
【００３８】
なお、第２実施形態では、折り畳み型の携帯電子装置１０１の構成例について示したが、一体型の筐体構成、例えば棒状の構成、又はカード状構成の携帯電子装置においても本発明を同様に適用可能である。
【００３９】
（第３実施形態）
図３は、本発明の第３実施形態に係る折り畳み型携帯電子装置の構成を示す斜視図である。携帯電子装置３０１は、情報を表示する液晶パネルを備えた表示ユニット１１と、表示ユニット１１を着脱可能に保持し、電気的に接続する上部本体３２と、表面に各種の操作キー１９を配設すると共に、制御回路や電源回路等を内蔵した下部本体３３と、上部本体３２と下部本体３３を折り畳み可能に結合するヒンジ部１４と、撮影手段としてのカメラ部３８と、を有して構成される。
【００４０】
上部本体３２は、図３（ａ）に示す折り畳み状態で下部本体３３と対向する側に表示ユニット１１を格納可能な内側格納部１５を有し、露出面側に外側格納部１６を備えている。また、これら内側格納部１５及び外側格納部１６のそれぞれに、表示ユニット１１との電気的接続をとるコネクタ部１７を備えている。これによって、表示ユニット１１は上部本体１２の表裏いずれの面にも装着可能となる。
【００４１】
表示ユニット１１は、第１実施形態と同様に、上部本体３２の表裏いずれの面にも装着可能であり、上部本体３２と下部本体３３が開いた状態で表示ユニット１１を見ながら下部本体３３の操作キー１９を操作することができるとともに、上部本体３２と下部本体３３を閉じた状態のままで表示ユニット１１に表示された情報を確認することができる。
【００４２】
カメラ部３８は、図３（ａ）に示すように、上部本体３２と下部本体３３を折り畳んだとき外側になる面に備えられており、表示ユニット１１を上部本体３２の内側格納部１５又は外側格納部１６に装着し、これをビューファインダとして被写体画像を確認しながら撮影を行う。
【００４３】
まず、使用者自身を撮影する場合は、表示ユニット１１を外側格納部１６に装着する。これにより、使用者は表示ユニット１１に写った自身の画像を確認しながら、撮影を行うことができる。
【００４４】
一方、使用者が見ている他人や景色を撮影する場合は、表示ユニット１１を内側格納部１５に装着する。そして、上部本体３２と下部本体３３を開いてカメラ部３８で撮影する画像は、上部本体３２の内側に装着された表示ユニット１１によるビューファインダに映し出され、画像を確認しながら撮影を行うことができる。
【００４５】
（第４実施形態）
図４は、本発明の第４実施形態に係る折り畳み型携帯電子装置の構成を示す斜視図である。携帯電子装置４０１は、情報を表示する液晶パネルを備えた表示ユニット２１と、表示ユニット２１を着脱可能に保持し、電気的に接続する上部本体４２と、表面に各種の操作キー１９を配し、制御回路や電源回路等を内蔵した下部本体４３と、上部本体４２と下部本体４３を折り畳み可能に結合するヒンジ部１４と、カメラ部３８と、を有して構成される。
【００４６】
上部本体４２は、図４（ａ）に示す折り畳み状態で下部本体４３と対向する面に表示ユニット２１を格納可能な内側格納部４５を有し、露出面となる側に外側格納部４６を備えている。また、内側格納部４５と外側格納部４６のそれぞれに、表示ユニット２１との電気的接続をとる無線接続手段２７を備えている。無線接続手段２７としては、例えばブルートゥース（Ｂｌｕｅｔｏｏｔｈ　）等による無線通信手段を使用する。
【００４７】
これにより、表示ユニット２１は、上部本体４２の表裏いずれの面にも装着可能であり、第２実施形態と同様に、上部本体４２と下部本体４３が開いた状態で表示ユニット２１を見ながら下部本体４３の操作キー１９を操作することができる。さらに、上部本体４２と下部本体４３を閉じた状態のままで、表示ユニット２１に表示された情報を確認することができる。また、表示ユニット２１を上部本体４２から離脱し、携帯電子装置４０１の本体とは別の場所で使用することができる。
【００４８】
カメラ部３８は、図３の構成と同様に、上部本体４２と下部本体４３を折り畳んだとき外側になる面に装着されている。また、表示ユニット２１をビューファインダとして行う撮影機能も図３の構成の場合と同様であるので、説明を省略する。
【００４９】
このように、図３に示した第３実施形態及び図４に示した第４実施形態では、携帯電子装置３０１、４０１にカメラ部３８を備え、、使用者自身が被写体となる場合とそれ以外の場合とでビューファインダとなる表示ユニット１１、２１をそれぞれ上部本体３２、４２の内外いずれかの面に選択して装着し、撮影画像を容易に確認しながら撮影を行うことができる。
【００５０】
なお、上記第３及び第４実施形態では、カメラ部３８を上部本体３２、４２と下部本体３３、４３を折り畳んだとき外側になる面に装着した例について示したが、内側になる面に装着した構成の場合は、使用者自身が被写体となるとき表示ユニット１１、２１をそれぞれ内側格納部１５、４５に、それ以外では外側格納部１６、４６に装着してビューファインダとして使用すればよい。
【００５１】
（第５実施形態）
第５実施形態は、表示ユニットに操作キーを備えた例であり、以下図５〜図８を用いて説明する。図５は、本発明の第５実施形態に係る折り畳み型携帯電子装置の第１の構成例を示す斜視図、図６は、第５実施形態に係る折り畳み型携帯電子装置の第２の構成例を示す斜視図、図７は、第５実施形態に係る折り畳み型携帯電子装置の第３の構成例を示す斜視図、図８は、第５実施形態に係る折り畳み型携帯電子装置の第４の構成例を示す斜視図である。
【００５２】
図５に示す第１の構成例の携帯電子装置５０１、及び図６に示す第２の構成例の携帯電子装置６０１は、いずれも表示ユニット５１を有して構成され、上部本体１２、３２との電気的接続にコネクタ部１７を用いた例である。なお、携帯電子装置５０１は、表示ユニット５１以外は図１で示した第１実施形態と同様の構成である。また、携帯電子装置６０１は、図３で示した第３実施形態と同様の構成であるため、それぞれ同様の部分の説明を省略する。
【００５３】
表示ユニット５１は、表示画面と同一の面に操作キー５２を有して構成され、上部本体１２、３２の表裏いずれの面にも装着可能である。従って、常に表示ユニット５１に表示された内容を確認しながらキー操作を行い、携帯電子装置５０１、６０１の機能を制御することができる。例えば、表示ユニット５１を上部本体１２、３２の外側格納部１６に装着すれば、外面携帯電子装置５０１、６０１をポケットから取り出したときに上部本体１２、３２と下部本体１３、３３を開かなくても表示を確認することができると共に、併せて操作キー５２を操作することができる。また、上部本体１２、３２と下部本体１３、３３を閉じた状態で机上に置いた場合も同様である。
【００５４】
図７に示す第３の構成例の携帯電子装置７０１、及び図８に示す第４の構成例の携帯電子装置８０１は、いずれも表示ユニット７１を有して構成され、上部本体との電気的接続に無線通信手段を用いた例である。なお、携帯電子装置７０１は、表示ユニット７１以外は図２で示した第２実施形態と同様の構成である。また、携帯電子装置８０１は、図４で示した第４実施形態と同様の構成であるため、それぞれ同様の部分の説明を省略する。
【００５５】
表示ユニット７１は、表示画面と同一の面に操作キー７２を有して構成され、上部本体の表裏いずれの面にも装着可能である。これにより、常に表示ユニット７１に表示された内容を確認しながらキー操作を行うことができる。
【００５６】
また、表示ユニット７１を上部本体２２、４２から離脱し、それぞれ携帯電子装置７０１、８０１の本体とは別の場所で使用することができる。例えば、携帯電子装置７０１本体を鞄の中に入れたままで表示ユニット７１を机上で使用し、必要に応じて操作キー５２を操作したり、或いは、自動車の車中で携帯電子装置８０１本体をグローブボックスに入れ、表示ユニット７１をダッシュボードの上や計器盤の前に置けば、運転席から表示された情報を容易に確認することができる。
【００５７】
このように、図５〜図８に示した第５実施形態では、使用者の用途に応じて表示ユニットを上部本体の内外いずれかの面に選択して装着可能であり、また表示画面と同一面に備えた操作キーにより、表示画面に表示された内容に従って携帯電子装置を制御することができる。
【００５８】
（第６実施形態）
第６実施形態は、表示ユニットに操作入力用のタッチパネル部を一体化して構成した例であり、以下図９〜図１２を用いて説明する。図９は、本発明の第６実施形態に係る折り畳み型携帯電子装置の第１の構成例を示す斜視図、図１０は、第６実施形態に係る折り畳み型携帯電子装置の第２の構成例を示す斜視図、図１１は、第６実施形態に係る折り畳み型携帯電子装置の第３の構成例を示す斜視図、図１２は、第６実施形態に係る折り畳み型携帯電子装置の第４の構成例を示す斜視図である。
【００５９】
図９に示す第１の構成例の携帯電子装置９０１、及び図１０に示す第２の構成例の携帯電子装置１００１は、いずれも表示ユニット９１を有して構成され、上部本体との電気的接続にコネクタ部１７を用いた例である。なお、携帯電子装置９０１は、表示ユニット５１以外は図１で示した第１実施形態と同様の構成である。また、携帯電子装置１００１は、図３で示した第３実施形態と同様の構成であるため、それぞれ同様の部分の説明を省略する。
【００６０】
表示ユニット９１は、表示画面にタッチパネル部９２を有して構成され、上部本体１２、３２の表裏いずれの面にも装着可能である。これにより、表示ユニット９１に表示された内容を確認すると同時に、表示画面に触れることによってタッチパネル部９２により操作入力が可能であり、携帯電子装置を制御することができる。
【００６１】
図１１に示す第３の構成例の携帯電子装置１１０１、及び図１２に示す第４の構成例の携帯電子装置１２０１は、いずれも表示ユニット１１１を有して構成され、上部本体との電気的接続に無線通信手段を用いた例である。なお、携帯電子装置１１０１は、表示ユニット１１１以外は図２で示した第２実施形態と同様の構成である。また、携帯電子装置１２０１は、図４で示した第４実施形態と構成が同じであり、それぞれ説明を省略する。
【００６２】
表示ユニット１１１は、表示画面にタッチパネル部１１２を有して構成され、上部本体２２、４２の表裏いずれの面にも装着可能である。これにより、表示ユニット１１１に表示された内容を確認すると同時に、表示画面に触れることによってタッチパネル部１１２により操作入力が行われ、携帯電子装置を制御することができる。
【００６３】
このように、図９〜図１２に示した第６実施形態では、使用者の用途に応じて表示ユニットを上部本体の内外いずれの面に選択して装着可能であり、またタッチパネル部を備えた表示画面に触れることにより、表示画面に表示された内容に従って携帯電子装置を制御することができるので、使い勝手が向上する。
【００６４】
（第７実施形態）
図１３は、本発明の第７実施形態に係る折り畳み型携帯電子装置の構成を示す斜視図、図１４は、第７実施形態に係る携帯電子装置の表示ユニットの充電状態を示す斜視図である。携帯電子装置１３０１は、充電可能な電池を内蔵した表示ユニット１３１と、表示ユニット１３１を着脱可能に保持し、電気的に接続する上部本体１３２と、表面に各種の操作キー１９を配し、制御回路や電源回路等を内蔵した下部本体１３３と、上部本体１３２と下部本体１３３を折り畳み可能に結合するヒンジ部１４と、を有して構成される。
【００６５】
上部本体１３２は、図１３（ａ）に示す折り畳み状態で下部本体１３３と対向する側に表示ユニット１３１を装着可能な内側格納部１３５を有し、露出面となる側に外側格納部１３６を備えている。また、内側格納部１３５及び外側格納部１３６のそれぞれに表示ユニット１３１との電気的接続をとる無線接続手段２７と、表示ユニット１３１の電池を充電するための充電端子１３７とを備えている。この構成により、表示ユニット１３１は内蔵の電池によって携帯電子装置１３０１の電源とは独立に動作可能である。
【００６６】
次に、表示ユニット１３１に内蔵した電池の充電方法について説明する。まず、表示ユニット１３１を内側格納部１３５又は外側格納部１３６のいずれかに装着し、続いて下部本体１３３に充電器１３８を取りつける。これにより、充電器１３８からの充電電流によって下部本体１３３に内蔵された電池が充電されると同時に、充電端子１３７を介して表示ユニット１３１に内蔵した電池も充電される。従って、表示ユニット１３１のために特別に充電器を用意しなくても充電が可能であり、携帯性に優れたものとなる。
【００６７】
また、表示ユニット１３１を離脱した状態で充電が必要になった場合には、図１４に示すように、充電器１３８と専用アダプタ１４１を用いて充電することが可能である。表示ユニット１３１は、アダプタ１４１に装着することにより、充電器１３８からの充電電流によって充電される。
【００６８】
このように第７実施形態では、本体との電気信号の接続に無線通信手段を用いる着脱可能な表示ユニットに充電可能な電池を備え、充電器を用いて本体に装着した状態で、或いはアダプタにより本体から離脱した状態でそれぞれ充電が可能である。従って、電池の交換が不要となり、使い勝手に優れた携帯電子装置を提供できる。
【００６９】
（第８実施形態）
図１５は、本発明の第８実施形態に係る折り畳み型携帯電子装置の構成を示す斜視図である。携帯電子装置１５０１は、複数の表示ユニット１５１と、これらの表示ユニット１５１を着脱可能に保持し、電気的に接続する上部本体１２と、表面に各種の操作キー１９を配設すると共に、制御回路や電源回路等を内蔵した下部本体１３と、上部本体１２と下部本体１３を折り畳み可能に結合するヒンジ部１４と、を有して構成される。
【００７０】
上部本体１２は、折り畳み状態で下部本体１３と対向する面に表示ユニット１５１を装着可能な内側格納部１５と、露出面となる側に外側格納部１６を備え、それぞれに表示ユニット１１との電気的接続をとるコネクタ部１７を有している。これにより、表示ユニット１５１は、上部本体１２の表裏いずれの面にも装着可能である。
【００７１】
上部本体１２に着脱自在な表示ユニット１５１は、用意された中から使用者の好みによっていずれかを選択して装着し、使用することができる。用意する表示ユニット１５１としては、例えば、筐体の色が異なるもの、アニメキャラクタを装飾したもの、低コスト・低消費電力を目的としたモノクロ表示のもの、表示する文字やキャラクタのフォントの大きな液晶パネルを備えたものなどがある。
【００７２】
このように第８実施形態によれば、表示ユニット１５１を予め用意された中から使用者の好みにより選択して装着できるので、使い勝手の向上を図ったり、ファッション性を楽しむなど、使用目的に応じた表示ユニットを選択的に使用することができる。
【００７３】
上述した各実施形態では、表示ユニットを携帯電子装置本体から着脱自在に構成すると共に、装置の用途や使用者の好みなどによって、表示ユニットの装置本体への装着位置を表側または裏側などで選択可能とすることによって、使用時の視認性や操作性を向上させるなど、使い勝手の向上を図ることが可能となる。また、装着する表示ユニットの種類を選択可能とすることで、使用目的や使用者の好みなどに応じた装置形態を実現できる。
【００７４】
なお、本発明は上述した実施形態に何ら限定されるものではなく、その要旨を逸脱しない範囲において種々の態様で実施し得るものである。
【００７５】
【発明の効果】
以上説明したように本発明によれば、装置の用途や使用者の好み、使用条件などによって、装置本体への表示部の装着位置や向きを選択可能であり、使い勝手を向上させることが可能な携帯電子装置を提供できる。
【図面の簡単な説明】
【図１】本発明の第１実施形態に係る折り畳み型携帯電子装置の構成を示す斜視図であり、（ａ）は上下本体を閉じた状態、（ｂ）は開いた状態を示す図
【図２】本発明の第２実施形態に係る折り畳み型携帯電子装置の構成を示す斜視図であり、（ａ）は上下本体を閉じた状態、（ｂ）は開いた状態を示す図
【図３】本発明の第３実施形態に係る折り畳み型携帯電子装置の構成を示す斜視図であり、（ａ）は上下本体を閉じた状態、（ｂ）は開いた状態を示す図
【図４】本発明の第４実施形態に係る折り畳み型携帯電子装置の構成を示す斜視図であり、（ａ）は上下本体を閉じた状態、（ｂ）は開いた状態を示す図
【図５】本発明の第５実施形態に係る折り畳み型携帯電子装置の第１の構成例を示す斜視図であり、（ａ）は上下本体を閉じた状態、（ｂ）は開いた状態を示す図
【図６】本発明の第５実施形態に係る折り畳み型携帯電子装置の第２の構成例を示す斜視図であり、（ａ）は上下本体を閉じた状態、（ｂ）は開いた状態を示す図
【図７】本発明の第５実施形態に係る折り畳み型携帯電子装置の第３の構成例を示す斜視図であり、（ａ）は上下本体を閉じた状態、（ｂ）は開いた状態を示す図
【図８】本発明の第５実施形態に係る折り畳み型携帯電子装置の第４の構成例を示す斜視図であり、（ａ）は上下本体を閉じた状態、（ｂ）は開いた状態を示す図
【図９】本発明の第６実施形態に係る折り畳み型携帯電子装置の第１の構成例を示す斜視図であり、（ａ）は上下本体を閉じた状態、（ｂ）は開いた状態を示す図
【図１０】本発明の第６実施形態に係る折り畳み型携帯電子装置の第２の構成例を示す斜視図であり、（ａ）は上下本体を閉じた状態、（ｂ）は開いた状態を示す図
【図１１】本発明の第６実施形態に係る折り畳み型携帯電子装置の第３の構成例を示す斜視図であり、（ａ）は上下本体を閉じた状態、（ｂ）は開いた状態を示す図
【図１２】本発明の第６実施形態に係る折り畳み型携帯電子装置の第４の構成例を示す斜視図であり、（ａ）は上下本体を閉じた状態、（ｂ）は開いた状態を示す図
【図１３】本発明の第７実施形態に係る折り畳み型携帯電子装置の構成を示す斜視図であり、（ａ）は上下本体を閉じた状態、（ｂ）は開いた状態を示す図
【図１４】本発明の第７実施形態に係る携帯電子装置の表示ユニットの充電状態を示す斜視図
【図１５】本発明の第８実施形態に係る折り畳み型携帯電子装置の構成を示す斜視図
【符号の説明】
１１、２１、５１、７１、９１、１１１、１３１　表示ユニット
１２、２２、３２、４２、１３２　上部本体
１３、２３、３３、４３、１３３　下部本体
１４　ヒンジ部
１５、２５、４５、１３５　内側格納部
１６、２６、４６、１３６　外側格納部
１７　コネクタ部
１９　操作キー
２７　無線接続手段
３８　カメラ部
５２　操作キー
９２、１１２　タッチパネル部
１０１、２０１、３０１、４０１、５０１、６０１、７０１、８０１、９０１１００１、１１０１、１２０１、１３０１、１５０１　携帯電子装置
【図１】
2004056198.tif 000003
【図２】
2004056198.tif 000004
【図３】
2004056198.tif 000005
【図４】
2004056198.tif 000006
【図５】
2004056198.tif 000007
【図６】
2004056198.tif 000008
【図７】
2004056198.tif 000009
【図８】
2004056198.tif 000010
【図９】
2004056198.tif 000011
【図１０】
2004056198.tif 000012
【図１１】
2004056198.tif 000013
【図１２】
2004056198.tif 000014
【図１３】
2004056198.tif 000015
【図１４】
2004056198.tif 000016
【図１５】
2004056198.tif 000017